(57)【要約】【課題】  受信性能および等化性能を向上する。【解決手段】  デジタル放送送信機は、既知データの挿入された伝送ストリームをエンコーディングするリードソロモンエンコーダと、エンコーディングされた伝送ストリームをインターリービングするインターリーバと、内部メモリを用いて前記インターリービングされた伝送ストリームをトレリスエンコーディングし、トレリスリセット作業の制御のための制御信号に応じて、前記既知データがトレリスエンコーディングされる以前の時点で前記内部メモリをリセットするトレリスエンコーディング部とを含む。【選択図】      図５
2010035213.tif 000002
【特許請求の範囲】
【請求項１】
既知データの挿入された伝送ストリームをエンコーディングするリードソロモンエンコーダと、
前記エンコーディングされた伝送ストリームをインターリービングするインターリーバと、
内部メモリを用いて前記インターリービングされた伝送ストリームをトレリスエンコーディングし、トレリスリセット作業の制御のための制御信号に応じて、前記既知データがトレリスエンコーディングされる以前の時点で前記内部メモリをリセットするトレリスエンコーディング部と、
を含むデジタル放送送信機。
【請求項２】
前記内部メモリのリセットによって変更されたデータに対するリードソロモンパリティを訂正するリードソロモンリエンコーディング部
を更に含む請求項１に記載のデジタル放送送信機。
【請求項３】
前記既知データを前記伝送ストリーム内に挿入する既知データ挿入部
を更に含む請求項１に記載のデジタル放送送信機。
【請求項４】
既知データの挿入された伝送ストリームをエンコーディングするステップと、
前記エンコーディングされた伝送ストリームをインターリービングするステップと、
トレリスエンコーダ内の内部メモリを用いて前記インターリービングされた伝送ストリームをトレリスエンコーディングし、トレリスリセット作業の制御のための制御信号に応じて、前記既知データがトレリスエンコーディングされる以前の時点で前記内部メモリをリセットするステップと、
を含むデジタル放送送信機のストリーム処理方法。
【請求項５】
前記内部メモリのリセットによって変更されたデータに対するリードソロモンパリティを訂正するステップ
を更に含む請求項４に記載のデジタル放送送信機のストリーム処理方法。
【請求項６】
前記既知データを前記伝送ストリーム内に挿入するステップ
を更に含む請求項４に記載のデジタル放送送信機のストリーム処理方法。
【発明の詳細な説明】
【技術分野】
【０００１】
本発明は、デジタル放送送受信システムに関し、詳細にはＭＰＥＧ−２ＴＳストリームにスタッフバイト（Ｓｔｕｆｆ  ｂｙｔｅ）を生成し、それを利用した既知データを、そのパターンを操作して送信することにより、受信システムの受信性能と等化性能の向上されたデジタル放送送受信システム及びその信号処理方法に関する。
【背景技術】
【０００２】
米国向け地上波デジタル放送システムであるＡＴＳＣ  ＶＳＢ方式はシングルキャリア方式であり、３１２セグメント単位でフィールド同期信号を使用している。これにより劣ったチャネル、特にドップラーフェ−ディングチャネルにおける受信性能は良好でなかった。
【０００３】
図１は一般の米国向け地上波デジタル放送システムであって、ＡＴＳＣ  ＤＴＶ規格による送受信機を示したブロック図である。図１におけるデジタル放送送信機は、ＭＰＥＧ−２ＴＳストリームをランダム化させるランダム化部１１０、チャネルにより生じるエラー訂正を行なうために連結符号化器（Ｃｏｎｃａｔｅｎａｔｅｄ  ｃｏｄｅｒ）形態であるＲＳ（リードソロモン）エンコーダ１２０、インターリーバ１３０、及びトレリスエンコーダ（２／３ｒａｔｅ  ｔｒｅｌｌｉｓ  ｅｎｃｏｄｅｒ）１４０を含む。エンコーディングされたデータは、８レベルシンボルでマッピングを行なってから、図２のデータフォーマットのようにフィールドシンクとセグメントシンクを挿入する。その後、パイロットを挿入しＶＳＢ変調を行なってからＲＦに変換し伝送するようになる。
【０００４】
一方、図１のデジタル放送受信機はこの逆過程であって、ＲＦ信号をベースバンドに低くし、これを復調及び等化してからチャネルデコーディングを行なうことで元の信号を復元する。図２は、米国向け地上波ＤＴＶシステムのＶＳＢデータフレームを示している。図２において、１つのフレームは２つのフィールドからなり、１つのフィールドは３１２個のデータセグメントとフィールドシンクセグメントからなる。１つのセグメントは４シンボルのセグメントシンクと８２８個のデータシンボルからなる。
【０００５】
図１に図示されたように、デジタル放送送信機は、ＭＰＥＧ−２ＴＳストリームをランダム化部１１０を通じてデータランダム化を行い、ランダム化されたデータは、外符号化器であるＲＳエンコーダ１２０を通じて外符号化し、符号化されたデータはインターリーバ１３０を通じてデータ分散される。インターリービングされたデータは１２シンボル単位でトレリスエンコーダ１４０を介して内符号化される。この内符号化されたデータは、８レベルシンボルでマッピングが行なわれてから、図２のデータフォーマットのようにフィールドシンクとセグメントシンクを挿入する。その後、パイロット生成のためにＤＣオフセットを与え、ＶＳＢ変調を行ってからＲＦで変換して伝送するようになる。
【０００６】
一方、図１のデジタル放送受信機は、チャネルを通じて受信された信号をチューナ／ＩＦ（図示せず）を介してＲＦ信号をベースバンド信号に切替える。この基底信号は、同期検出及び復調部２１０を通じて復調が行なわれ、等化器２２０を通じてチャネルのマルチパスによるチャネル歪曲を補償する。等化された信号はトレリスデコーダー２３０を通じてエラー訂正を行いシンボルデータに復号する。復号されたデータはデインターリーバ２４０を通じてデジタル放送送信機のインターリーバ１３０によって分散したデータを再整列する。デインターリービングされたデータは、ＲＳデコーダー２５０を通じてエラー訂正を行なう。ＲＳデコーダー２５０を通じて訂正されたデータは、逆ランダム化部２６０を介して逆ランダム化が行なわれ、ＭＰＥＧ−２ＴＳストリームを出力する。
【０００７】
図２の米国向け地上波ＤＴＶシステムのＶＳＢデータフレームにおいて、１つのセグメントはＭＰＥＧ−２パケット１つに対応される。図２において、シンク信号であるセグメントシンクとフィールドシンクは同期及び等化のために使用される。フィールドシンク及びセグメントシンクは既知シーケンスであって、等化器にてトレーニングデータとして使用される。
【０００８】
図１の米国向け地上波ＤＴＶシステムのＶＳＢ方式は、単一搬送波方式であって、これはドップラーを持つマルチパスフェ−ディングチャネルでマルチパスを取除く能力が劣っている。しかし、フィールドシンクのように既知シーケンスが大いに使用されれば、該既知シーケンスを用いてチャネル推定及び等化器にてマルチパスにより歪曲された信号の補償が容易になる。
【０００９】
しかしながら、図２の米国向け地上波ＤＴＶシステムのＶＳＢデータフレームから分かるように、既知シーケンスであるフィールドシンクは３１３セグメントごとに一回ずつ現われる。これは極めて少ない量であり、これを用いてマルチパスをとり除き、且つ受信された信号を等化するには限界がある。
【特許文献１】韓国公開特許第２００２−０６２０７６号公報
【特許文献２】日本公開特許平５−１４５４５２号公報
【特許文献３】米国特許第２００３−０６５９９１号公報
【発明の概要】
【発明が解決しようとする課題】
【００１０】
本発明の目的は、送信システムにて既に定義された既知シーケンスを与えてパターンを操作し信号を送信することにより、受信システムの受信性能および等化性能の向上を図ることのできるデジタル放送送信システム及びその信号処理方法、それに対応するデジタル放送受信システム及びその信号処理方法を提供することにある。
【課題を解決するための手段】
【００１１】
本発明に係るデジタル放送送信機は、所定の位置にスタッフバイトの挿入されたデータストリームが入力されランダム化するランダム化部と、前記スタッフバイトを代置する特定シーケンスからなる既知データを生成するシーケンス提供部と、ランダム化された前記データストリームのうち前記スタッフバイトの挿入された前記位置に前記既知データを挿入するスタッフバイト交換部と、前記スタッフバイト交換部で出力された前記データストリームをエラー訂正のためにエンコーディングするエンコーディング部と、エンコードされた前記データストリームを変調してＲＦ変換し伝送する伝送部と、を含む。
【００１２】
好ましくは、前記データストリームは、前記スタッフバイトの挿入された前記所定の位置に対する情報を含む。
【００１３】
また、前記情報は、前記スタッフバイトの挿入された前記位置より先行して挿入され、前記スタッフデータの長さに対する情報を含むことがより好ましい。
【００１４】
さらに、前記情報に応じて、前記スタッフバイト交換部が前記位置で前記既知データを挿入するように制御するための制御信号を発生する制御信号生成部を更に含むことが好ましい。
【００１５】
なお、前記エンコーディング部は、チャネルによって発生するエラーを訂正するために所定バイトのパリティーを付け加えるＲＳエンコーダと、パリティーの付加された前記データに対して所定のパターンでデータインターリービングを行なうインターリーバと、インターリービングされた前記データに対してトレリスエンコーディングを行なうトレリスエンコーダと、を含むことを特徴とする。
【００１６】
また、前記トレリスエンコーダは、トレリス符号化動作のためのメモリ素子を有し、前記既知データの挿入された前記位置から前記メモリ素子を初期化してトレリス符号化を行なうことが好ましい。
【００１７】
より好ましくは、前記ＲＳエンコーダから前記データストリームが入力されて一時保存するパケットバッファーを更に含む。
【００１８】
また、前記パケットバッファーは、前記トレリスエンコーダから前記メモリ素子初期化に応じて変更された前記データを入力して保存された前記データを更新することができる。
【００１９】
そして、前記パケットバッファーから入力される、更新された前記データに対するＲＳエンコーディングを行って変更されたパリティーを生成し、前記トレリスエンコーダに出力して前記ＲＳエンコーダにより付加された前記パリティーを代置するパリティー再構成部を更に含むことが好ましい。
【００２０】
好ましくは、前記インターリーバは、前記ＲＳエンコーダから出力された複数の相異なるデータストリームの同一位置に挿入された既知データを、連続するデータストリームとして出力する。
【００２１】
また、前記伝送部は、ＶＳＢ（残留側波帯）変調方式に基づいて前記データ変調を行なうことが好ましい。
【００２２】
一方、本発明に係るデジタル放送送信のための信号処理方法は、所定の位置にスタッフバイトの挿入されたデータストリームが入力されランダム化するステップと、既に定義された特定シーケンスを既知データとして生成するステップと、ランダム化された前記データストリームのうち前記スタッフバイトの挿入された前記位置に前記既知データを挿入するステップと、前記既知データの挿入された前記データストリームをエラー訂正のためにエンコーディングするステップと、エンコーディングされた前記データストリームを変調しＲＦ変換して伝送するステップと、を含む。
【００２３】
さらに、本発明に係るデジタル放送送信機に対応するデジタル放送受信機は、所定の位置にスタッフバイトの挿入されたデータストリームに対して、前記位置に既に定義された特定シーケンスからなる既知データを挿入しエンコーディングが行なわれた信号をデジタル放送送信機から受信して基底帯域の信号に復調する復調部と、復調された前記信号から前記既知データを検出する既知データ検出部と、検出された前記既知データを利用して復調された前記信号を等化する等化部と、を含む。
【００２４】
好ましくは、前記既知データ検出部が、受信された信号から前記既知データの挿入された前記所定の位置に対する情報を検出するシンボル個数検出部と、前記位置を所定の識別標識で表示した少なくとも１つのセグメントを含むデータフレームを生成するセグメントフラッグ生成部と、前記データフレームに対して前記デジタル放送送信機で行なわれるエラー訂正符号化動作を行なうトレリスインターリーバと、符号化動作が行なわれた前記データフレームのうち前記識別標識が表示された前記位置に前記既知データを挿入し出力する既知データ抽出部と、を含む。
【００２５】
より好ましくは、前記既知データ検出部は、検出された前記既知データを前記復調部に出力し、前記復調部は前記既知データを利用して前記復調を行なう。
【００２６】
一方、本発明に係るデジタル放送受信のための信号処理方法は、所定の位置にスタッフバイトの挿入されたデータストリームに対して、前記位置に既に定義された特定シーケンスからなる既知データを挿入してエンコーディングを行なった信号をデジタル放送送信機から受信し基底帯域の信号に復調するステップと、復調された前記信号から前記既知データを検出するステップと、検出された前記既知データを利用して復調された前記信号を等化するステップと、を含む。
【発明の効果】
【００２７】
本発明によると、デジタル放送送信機においてＭＰＥＧ−２ＴＳパケットにスタッフバイトを生成して挿入し、挿入されたスタッフバイトを既知データとして伝送しデジタル放送受信機で既知データの検出を行なって使用することにより、劣悪したマルチパスチャネルでデジタル放送受信性能を向上させることができる。
【００２８】
また、既知データのシーケンスが、等化器の動作性能を向上させることのできるパターンで操作されることにより、等化器性能が改善され、且つ受信機の受信性能も改善される効果がある。
【図面の簡単な説明】
【００２９】
【図１】一般の米国向けデジタル放送（ＡＴＳＣＶＳＢ）システムの送信機を示すブロック図である。
【図２】ＡＴＳＣＶＳＢデータフレームの構造図である。
【図３】ＴＳパケットのフレーム構造図である。
【図４】スタッフバイトを含むＴＳパケットのフレーム構造図である。
【図５】本発明の一実施の形態に係るデジタル放送送受信システムを示すブロック図である。
【図６】図５のランダム化器（Ｒａｎｄｏｍｉｚｅｒ）に入力されるデータのフォーマットを示す図である。
【図７】図５のランダム化器で出力されたデータのフォーマットを示す図である。
【図８】図５のＲＳエンコーダで出力されたデータのフォーマットを示す図である。
【図９】図５のデータインターリーブで出力されたデータのフォーマットを示す図である。
【図１０】図５のトレリスエンコーダで出力されたデータのフォーマットを示す図である。
【図１１】既知シーケンス区間トレリス初期化によるＲＳリエンコーダで出力されたデータのフォーマットを示す図である。
【図１２】図５の既知シンボル検出部を説明するための図である。
【図１３】本発明の更なる実施形態に係るデジタル放送送受信システムを示すブロック図である。
【発明を実施するための形態】
【００３０】
以下、添付の図面に基づいて本発明の好適な実施形態を詳述する。
（実施形態）
以下、図面に基づいて本発明について詳細に説明する。
【００３１】
図３はＴＳ（トランスポートストリーム）パケットのフレーム構造図であり、図４はスタッフバイトを含んだＴＳパケットのフレーム構造図である。図３のＴＳパケットは、ＭＰＥＧ−２ヘッダーと変形フィールドまたはＥＳデータから構成される。本発明によると、図４のパケットに図３のようにスタッフバイトを挿入することで、全てのＴＳストリームが変形フィールドの含まれた形態に構成される。
【００３２】
すなわち、図４のＭＰＥＧ−２ＴＳストリームパケットは、１８８バイトのＭＰＥＧ−２パケットとして、ＭＰＥＧシンクの含まれた４バイトの情報信号（ＭＰＥＧ−２ヘッダー）と、１バイトの変形フィールドの長さを示す変形フィールド長さ区間と、１バイトその他の情報とｎ個のスタッフバイトを有する変形フィールドデータ区間、及び１８８−（４＋２＋ｎ）個のＥＳデータからなる。
【００３３】
図５は本発明の一実施の形態に係るデジタル放送送受信システムを示すブロック図である。図５において、デジタル放送送信機は、図４に示されたようなパケット構造を有するＭＰＥＧ−２パケットＴＳストリームがＴＳマルチプレクサ（図示せず）を介して入力される。
【００３４】
図５に示すように、デジタル放送送信機は、入力されたＴＳストリームに対してデータをランダム化させるランダム化部３１０、ランダム化されたデータのうちスタッフバイトに対して特定シーケンスでこれを代置するスタッフバイト交換部３１５、スタッフバイト交換部３１５で出力されたデータに対してチャネルにより発生したエラー訂正を行なうために連結コード形態で構成されるＲＳエンコーダ３２０、データインターリーブを行なうデータインターリーバ３３０、スタッフバイトに対してトレリスエンコーダ３４０のメモリを初期化するためＲＳエンコードされた基準データを保存し初期化値で代置するパケットバッファー３２５、この変形された値を利用してＲＳエンコードを行いパリティーを生成し再度トレリスエンコーダ３４０に入力するパリティー再構成部３３５、インターリーバ３３０の出力をシンボルに変換し２／３ｒａｔｅトレリスエンコーディング及び８レベルシンボルマッピングを行なうトレリスエンコーダ３４０、図２のデータフォーマットのようにフィールドシンクとセグメントシンクを挿入するマルチプレクサ３５０、その後パイロットを挿入しＶＳＢ変調を行ってＲＦに変換して伝送する伝送部３６０、からなる。また、データ処理を制御し、信号生成を行なう制御信号生成部３７０が含まれる。
【００３５】
図５に示すように、デジタル放送受信機は、送信機の逆過程であって、ＲＦ信号をベースバンドに低め、これを復調する復調部４１０、シンボルの相互干渉を取除く等化部４２０、エラー訂正及び復号を行なうビタビデコーダー４３０、デインターリーバ４４０、ＲＳデコーダー４５０、逆ランダム化部４６０を含む。また、復調されたデータから既知シンボルの位置検出及び出力する既知データ検出部４７０を更に含む。
【００３６】
また、図１３は、既知データ検出部（Ｋｎｏｗｎ  ｓｙｍｂｏｌ  ｌｏｃａｔｉｏｎ  ｄｅｔｅｃｔｏｒ／Ｋｎｏｗｎ  ｓｙｍｂｏｌｏｕｔｐｕｔ）４７０を詳細に示すブロック図であって、既知データ検出部４７０は、既知シンボル個数検出部４７１、セグメントフラッグ生成部４７３、トレリスインターリーバ４７５、及び既知データ抽出部４７７を含む。
【００３７】
デジタル放送送信機でスタッフバイトの量（個数）情報をフィールドシンクデータセグメント区間の約束された部分に挿入すると、デジタル放送受信機の既知データ検出部４７０の既知シンボル個数検出部４７１は既知データの量（個数）情報を検出し、この検出された量（個数）情報によってセグメントフラッグ生成部４７３及びトレリスインターリーバ４７５により既知シンボルの位置情報を探索する。この獲得された位置情報から既知データ抽出部４７７で既知データを出力することでデジタル放送受信機の受信性能が向上されるようになる。スタッフバイト量を認知すればスタッフバイトの位置は常に固定されることから、セグメントフラッグ生成部４７３とトレリスインターリーバ４７５はカウンター及び制御ロジックを使って具現することもできる。
【００３８】
一方、図４に示されたようなパケット構造を有するＭＰＥＧ−２パケットＴＳストリームは、ＴＳマルチプレクサ（図示せず）を通じてランダム化部３１０に入力されデータランダム化される。それからスタッフバイト交換部３１５によってスタッフバイト部分について特定シーケンスに代置することで出力される。スタッフバイト交換部３１５の出力はチャネルにより発生され得るエラー訂正を行なうために、ＲＳエンコーダ３２０を通じて外符号化され、外符号化されたデータはインターリーバ３３０を通じてデータ分散される。
【００３９】
尚、インタリーブされたデータは１２シンボル単位でトレリスエンコーダ３４０を通じて内符号化される。内符号化されたデータは８レベルシンボルでマッピングされてからマルチプレクサ３５０によって、図１０に示すデータフォーマットのようにフィールド同期信号とセグメント同期信号が挿入される。そして、パイロット生成のためにＤＣオフセットを与えることでＶＳＢ変調を行なうと共にＲＦで変換して送信される。
【００４０】
一方、制御信号生成部３７０は、図４に示す変形フィールド長さを検出し、これによってスタッフバイトまたは既知シンボルシーケンスデータの位置を表示するフラッグ信号を生成且つ出力する。
【００４１】
また、図５におけるトレリスエンコーダ３４０は、既知シンボルシーケンスの開始点で１２トレリスエンコーダ初期化を行なうことになるが、例えばエンコーダのメモリ素子での値を「００」状態にするためである。初期化によって変更されたシーケンスは、パケットバッファー３２５に保存された値を代置し、パリティー再構成部３３５によって生成された新しいパリティーでトレリスエンコーダ３４０に入力される元のパリティー位置値を代置することで初期化を行なう。
【００４２】
図６ないし図１０には、スタッフバイトを加えたＭＰＥＧ−２パケットデータフォーマットがデジタル放送送信機のチャネルエンコーダブロックを通過する間のデータフォーマットについて示されている。
【００４３】
図６はランダム化部３１０に入力されるデータのフォーマットを示し、図７にはランダム化部３１０の出力からｎ個のスタッフバイト部分を特定シーケンスデータに代置した後のデータフォーマットについて示されている。図８はＲＳエンコーダ３２０の出力でＲＳパリティーの付加されたデータフォーマットを図示し、図９にはインターリーバ３３０で出力されたデータフォーマットが図示されている。
【００４４】
また、図１０には１２シンボルインターリーバされたトレリスエンコーダ３４０から出力されたデータフォーマットが図示されている。図１１は図３のパリティー再構成部３３５によってパリティーの再構成されたデータフォーマットである。図１０に基づくと、１フィールドは６個のコンボリュ−ションインターリーバを含むことから、スタッフバイトの含まれたシーケンスは６個である。すなわち、ＴＳストリームで１０バイトのスタッフバイトを含むと１フィールドには１０×６＝６０個の既知シーケンスが現われる。ここで、既知シーケンスが開始される時点でトレリスエンコーダ３４０を初期化すれば、初期化値によりＲＳエンコーダ３２０の出力パリティーが変更される。変更されたパリティーに更新してトレリスエンコードが行なわれるのである。
【００４５】
図６のＭＰＥＧ−２パケットは、図９に示すようにインターリーバ３３０によって５２単位で分散される。なお、ＭＰＥＧ−２パケットの同一バイトの位置データはデータインターリーブ後には、図９に示すように同一列を構成する。また、インターリーバ３３０の出力に対して１２シンボルインターリーバされたトレリスエンコーダ３４０の出力については図１０に示すとおりである。すなわち、ＭＰＥＧ−２パケットで同一位置にあるデータはトレリスエンコーディングの後、図１０に示すように、大体１つのデータセグメントを構成していることが分かる。従って、ＭＰＥＧ−２パケットの一定部分にスタッフバイトを連続的に追加しランダム化してから、この部分を特定シーケンスに代置してトレリスエンコードが行なわれると、スタッフバイトが１つのデータセグメントを形成するようになり、これが既知信号としてデジタル放送受信機でこれを検出し受信性能の改善のために使用されることができる。
【００４６】
図１１は図５のパリティー再構成部３３５によってＲＳリエンコーディング及びパリティー再構成が行なわれてからのデータフォーマットを示す。すなわち、既知シンボルのシーケンスが開始される時点でトレリスエンコーダ３４０を初期化させれば初期化値によってＲＳエンコード３２０の出力パリティーが変更される。この変更されたパリティーに更新しトレリスエンコードが行なわれることにより、後述するデジタル放送受信機のＲＳデコーダーでデコーディング時における問題が解消される。すなわち、既知シンボルシーケンス区間の間にトレリスエンコードされたデータが一定のシーケンスを形成させるためには、トレリスエンコーダ３４０の初期化が行なわれ、かつ初期化位置のデータを代置するためにはＲＳエンコーディングされパリティーが変更され、この変更されたパリティーは元のパリティーを代置するようになる。図１１は係るデータフォーマットについて図示されている。
【００４７】
一方、デジタル放送受信機の復調部４１０は、チャネルを通じて受信されたＲＦ信号をチューナ部／ＩＦ（図示せず）を通じてベースバンド信号に変換し、この変換されたベースバンド信号に対して同期検出及び復調を行なう。等化部４２０は復調された信号からチャネルのマルチパスによるチャネル歪曲を補償する。
【００４８】
一方、既知データ検出部４７０は、フィールドシンクデータセグメント区間の予備区間に挿入されたスタッフバイトの量情報を検出して既知シンボルの位置情報を獲得する。この獲得された位置情報から既知データを出力する。
【００４９】
デジタル放送送信機においてスタッフバイトの量（個数）情報をフィールドシンクデータセグメント区間の予備区間に挿入をすれば、デジタル放送受信機の既知データ検出部４７０の既知シンボル個数検出部４７１は既知データの量（個数）情報を検出し、この検出された量情報に基づいてセグメントフラッグ生成部４７３及びトレリスインターリーバ４７５により既知シンボルの位置情報を探索する。獲得された位置情報から既知データ抽出部４７９で既知データを出力し、デジタル放送受信機の受信性能の向上のために使用されるようになる。スタッフバイトの量が確認されればスタッフバイトの位置は常に固定されているため、ここでセグメントフラッグ生成部４７３とトレリスインタリーブ４７５がカウンター及び制御ロジックを使用して具現されることもできる。
【００５０】
一方、等化部４２０によって等化された信号はビタビデコーダー４３０を通じてエラー訂正を行いシンボルデータに復号される。復号されたデータはデインターリーバ４４０を通じてデジタル放送送信機のインターリーバ３３０によって分散したデータを再整列する。デインタリーブされたデータはＲＳデコーダー４５０を通じてエラー訂正される。ＲＳデコーダー４５０を通じて訂正されたデータは逆ランダム化部４６０を通じて逆ランダム化される。
【００５１】
図１２は本発明の更なる実施形態に係るデジタル放送送受信システムを示したブロック図である。図１２において、デジタル放送送信機は入力されたＴＳストリームに対し、データをランダム化させるランダム化部５１０、ランダム化されたデータのうちスタッフバイトに対してシーケンス提供部５１３で生成された特定シーケンスにこれを代置するスタッフバイト交換部５１５、スタッフバイト交換部５１５で出力されたデータに対しチャネルにより発生するエラー訂正を行なうために連結符号化器形態で構成されたＲＳエンコーダ５２０、データインターリーブを行なうデータインターリーバ５３０、スタッフバイトに対してトレリスエンコーダ５４０のメモリを初期化するためにＲＳエンコードされた基準データを保存し初期化値に代置するパケットバッファー５２５、この変形された値を利用してＲＳエンコードを行なってパリティーを生成し、再度トレリスエンコーダ５４０に入力するパリティー再構成部５３５、インターリーバ５３０の出力をシンボルで変換して２／３レートトレリスエンコード及び８レベルシンボルマッピングを行なうトレリスエンコーダ５４０、図２におけるデータフォーマットのようにフィールドシンクとセグメントシンクを挿入するマルチプレクサ５５０、その後パイロットを挿入しＶＳＢ変調してＲＦで変換し伝送を行なう伝送部５６０、から構成される。また、データ処理を制御する信号を生成する制御信号生成部５７０が含まれる。
【００５２】
図１２におけるデジタル放送受信機は送信機の逆過程であって、ＲＦ信号をベースバンドに低くしてこれを復調する復調部６１０、シンボル相互干渉を取除く等化部６２０、エラー訂正及び復号を行なうビタビデコーダー６３０、デインターリーバ６４０、ＲＳデコーダー６５０、逆ランダム化部６６０を含む。また、復調されたデータから既知シンボルの位置検出及び出力する既知データ検出部６７０を更に含む。
【００５３】
図１２のデジタル放送送受信システムの各構成要素の機能及び動作については図５のデジタル放送送受信システムの各構成要素の機能及び動作と類似しているため、その機能と動作が同一な場合における詳細な説明は省略し、その差異に対してのみ説明する。
【００５４】
スタッフバイト交換部５１５では、ランダム化部５１０によってランダム化されたデータのうちスタッフバイト部分に対して特定シーケンスに代置して出力する。この場合、トレリスエンコーダ５４０を通じてマッピングされたシンボル同士がデジタル放送受信機の等化部６２０が円滑に動作できる形態のシーケンスになるよう、前記特定シーケンスのパターンを調節することが好ましい。
【００５５】
したがって、本発明の更なる実施形態によると、スタッフバイトを代置することで生成した既知シーケンスのパターンが、等化部６２０が円滑に動作することのできるパターンにするためには、スタッフバイトを代置する特定シーケンスを生成してスタッフバイト交換部５１５に提供するシーケンス提供部５１３を含むことが好ましい。
【００５６】
本発明の更なる実施形態によると、図１２に図示されたように、図５のブロック図にシーケンス提供部５１３が加えられており、送信機にてのパリティー再構成部５３５と受信機にての既知データ検出部６７０とが図５のデジタル放送送受信システムと相違に動作する。
【００５７】
シーケンス提供部５１３は、スタッフバイト交換部５１５におけるスタッフバイト交換のための特定シーケンスを保存しているメモリ（図示せず）とメモリアドレスを制御する回路（図示せず）で構成されている。
【００５８】
図９及び図１０における既知データのシーケンスパターンは、ＤＣオフセットが生じずランダムしたパターンを有すれば等化器の動作性能が向上される。従って、シーケンス提供部５１３は、スタッフバイト交換部５１５においてトレリスエンコーダ５４０のトレリスエンコーディング後マッピングされた既知データのシーケンスパターンがＤＣオフセットの発生することなくランダムしたパターンになるよう、スタッフバイトを代置することができるよう特定シーケンスを生成することが好ましい。
【００５９】
最初に、既知データのシーケンスを願望するパターンにするためには、トレリスエンコーダ５４０のメモリ値を初期化しなければならない。
【００６０】
図５に示すパケットバッファー３２５とパリティー再構成部３３５によると、既存の受信機と互換性を維持しつつトレリスエンコーダ３４０のメモリ値を初期化する。本発明の一実施の形態で提示している方法によると、既存受信機との互換性のためにスタッフバイトの個数に応じて全体スタッフバイトに対してはない一部のスタッフバイトに対して、制限的にトレリスエンコーダ３４０のメモリ値を初期化する。従って、初期化を行なうスタッフバイトに対しては制限的に願望のパターンで行なうことができる。
【００６１】
従って、本発明の更なる実施形態では、既存の受信機との互換性を無視して全てのスタッフバイトに対してトレリスエンコーダ５４０のメモリ値を初期化させる機能をパリティー再構成部５４０に加える。すなわち、パリティー再構成部５４０は初期設定やユーザ選択によって、本発明の一実施の形態に係る既存の受信機と互換性を維持しながらトレリスエンコーダ３４０のメモリ値を初期化したり、本発明の更なる実施形態によって既存の受信機との互換性を無視して全てのスタッフバイトに対してトレリスエンコーダ５４０のメモリ値を初期化することができる。
【００６２】
また、受信機の既知データ検出部６７０は、送信機のパリティー再構成部５３５の付加した機能に対応される機能が加えられる。
【００６３】
シーケンス提供部５１３で生成されてスタッフバイト交換部５１５にてスタッフバイトを代置する特定シーケンスのうちトレリスエンコーダのメモリ値を初期化する部分にあたる値はいずれの値であっても構わず、シーケンス提供部５１３は、初期化以後に既知データのシーケンスが願望のパターンを有するべくメモリ値に応じてトレリスエンコーディングされてからマッピングされるシンボル値を考慮してスタッフバイト対置のための特定シーケンスを生成する。
【００６４】
シーケンス提供部５１３は前述したような特定シーケンスをメモリ（図示せず）に保存して制御信号生成部５７０によって同期が合わせられ制御される。よって、既知データのシーケンスを等化器の動作性能の向上されたパターンで操作することで等化器の性能を改善させ得ると共に、受信機の受信性能も改善させ得る。
【００６５】
以上のように、ＭＰＥＧ−２ＴＳパケットにスタッフバイトを生成して挿入し、挿入されたスタッフバイトをデジタル放送送信機から既知データに伝送し、デジタル放送受信機では既知データを検出して使用することによりデジタル放送受信機の同期獲得及び等化性能のような受信性能が向上される。
【００６６】
また、既知データのシーケンスを等化器の動作性能が向上されたパターンで操作することで等化器の性能が改善され、且つ受信機の受信性能も改善され得る。
【符号の説明】
【００６７】
１１０  データランダム化部
１２０  ＲＳエンコーダ
１３０  インターリーバ
１４０  トレリスエンコーダ
１５０  ＭＵＸ
１６０  ＶＳＢ変調器及びＲＦアップコンバータ
２１０  復調部
２２０  等化部
２３０  ビタビデコーダ
２４０  デインターリーバ
２５０  ＲＳデコーダ
２６０  逆ランダム化部
３１０  データランダム化部
３１５  スタッフバイト交換部
３２０  ＲＳエンコーダ
３２５  パケットバッファ
３３０  インターリーバ
３３５  パリティー再構成部
３４０  トレリスエンコーダ
３５０  ＭＵＸ
３６０  ＶＳＢ変調器及びＲＦアップコンバータ
４１０  復調部
４２０  等化部
４３０  ビタビデコーダ
４４０  デインターリーバ
４５０  ＲＳデコーダ
４６０  逆ランダム化部
４７０  既知データ検出部
４７１  既知シンボル個数検出部
４７２  セグメントフラッグ生成部
４７３  トレリスインタリーブ
４７４  既知データ抽出部
５１０  データランダム化部
５１３  シーケンス提供部
５１５  スタッフバイト交換部
５２０  ＲＳエンコーダ
５２５  パケットバッファ
５３０  インターリーバ
５３５  パリティー再構成部
５４０  トレリスエンコーダ
５５０  ＭＵＸ
５６０  ＶＳＢ変調器及びＲＦアップコンバータ
６１０  復調部
６２０  等化部
６３０  ビタビデコーダ
６４０  デインターリーバ
６５０  ＲＳデコーダ
６６０  逆ランダム化部
６７０  既知データ検出部
【図１】
2010035213.tif 000003
【図２】
2010035213.tif 000004
【図３】
2010035213.tif 000005
【図４】
2010035213.tif 000006
【図５】
2010035213.tif 000007
【図６】
2010035213.tif 000008
【図７】
2010035213.tif 000009
【図８】
2010035213.tif 000010
【図９】
2010035213.tif 000011
【図１０】
2010035213.tif 000012
【図１１】
2010035213.tif 000013
【図１２】
2010035213.tif 000014
【図１３】
2010035213.tif 000015